(57)【要約】【課題】  待機状態のコンタクトイメージセンサの発光体を発光させて、その光を所定の表示に利用したスキャナ装置を提供する。【解決手段】  スキャナ装置１の上部には、原稿を載置するためのガラス板５が配設され、そのガラス板５の下方には、原稿のイメージを読み取るためのコンタクトイメージセンサ７が配設されている。そのコンタクトイメージセンサ７は、待機状態では原稿が載置される原稿載置領域３０の外側の所定の待機位置に位置する。ガラス板５近傍の本体カバー３の下方には、コンタクトイメージセンサ７の発光素子から発せられる光を集光して所定の表示部１２へ導くための導光部材１１が配設されている。その表示部１２は、容易に視認されるように、本体カバー３に設けられた開口部３ａに嵌め込まれて本体カバー３の表面に露出している。【選択図】        図３
2006074465.tif 000002
【特許請求の範囲】
【請求項１】
スキャナ本体と、
前記スキャナ本体の上部に配設され、原稿を載置するためのガラス板と、
前記ガラス板の下方に原稿が載置された領域を走査可能に配置され、原稿に対して所定の光を発する発光素子および原稿にて反射した光を受光する受光素子を含むコンタクトイメージセンサと、
前記コンタクトイメージセンサの前記発光素子から発光する光を集光して導くための導光部材と、
前記導光部材に設けられ、前記導光部材によって導かれた光によって原稿のサイズと載置位置を表示する表示部と
を有し、
前記コンタクトイメージセンサが待機状態において、前記発光素子を発光させ、発せられた光を前記導光部材によって導くことにより前記表示部を表示させる機能を備えた、スキャナ装置。
【請求項２】
原稿のイメージを読み取るためのスキャナ装置であって、
原稿に向けて所定の光を発するとともに、原稿にて反射した光を受光するイメージセンサーと、
前記イメージセンサから発光する光を集光して導くための導光部材と、
前記導光部材に設けられ、前記導光部材によって導かれた光によって所定の表示を行なうための表示部と
を有し、
前記イメージセンサが待機状態において、前記イメージセンサから発せられる光を前記導光部材によって導くことにより前記表示部を表示させる機能を備えた、スキャナ装置。
【請求項３】
前記イメージセンサは、所定の光として三原色の光をそれぞれ発光するための発光素子を含む、請求項２記載のスキャナ装置。
【請求項４】
前記表示部は原稿のサイズの表示を含む、請求項２または３に記載のスキャナ装置。
【請求項５】
前記表示部は原稿の載置位置の表示を含む、請求項２〜４のいずれかに記載のスキャナ装置。
【請求項６】
前記表示部は操作パネルの部分の表示を含む、請求項２〜５のいずれかに記載のスキャナ装置。
【発明の詳細な説明】
【技術分野】
【０００１】
本発明はスキャナ装置に関し、特に、コンタクトイメージセンサを備えたスキャナ装置に関するものである。
【背景技術】
【０００２】
従来、原稿の画像を読み取るための装置としてスキャナ装置がある。スキャナ装置では、たとえば特許文献１〜３にあるように、載置された原稿に対してイメージセンサをスキャンさせることによって、原稿の画像が読み取られることになる。そのようなイメージセンサの一つとして、コンタクトイメージセンサがある。図８に示すように、コンタクトイメージセンサ１０７は、スキャナ装置１０１において原稿を載置するためのガラス板１０５の下方に配置されている。
【０００３】
そのコンタクトイメージセンサ１０７には、原稿に向けて三原色の光をそれぞれ発する発光体と、原稿によって反射された光を受光する受光素子（いずれも図示せず）が配設されている。原稿の画像を読み取る際には、コンタクトイメージセンサ１０７は発光体を発光させるとともに、ガラス板１０５に載置された原稿（図示せず）によって反射した光を受光素子によって受光しながら矢印１３１に示す方向に往復動（スキャン）する。読み取りが終了すると、図９に示すように、スキャナ装置１０１において原稿読み取り領域１３０の外の本体カバー１０３の下方に待機することになる。この状態では、コンタクトイメージセンサ１０７に配設された発光体は特に発光することはない。従来のスキャナ装置は上記のように構成されている。
【特許文献１】特開平７―４６３７４号公報
【特許文献２】特開２００１―３４３５３１号公報
【特許文献３】実開平５―６９７２号公報
【発明の開示】
【発明が解決しようとする課題】
【０００４】
上述したように、従来のスキャナ装置では、コンタクトイメージセンサが待機している状態ではコンタクトイメージセンサに配設された発光体は特に発光することはない。そこで、本願発明は、そのような待機している状態のコンタクトイメージセンサを利用することを提案するものであり、その目的は、待機状態のコンタクトイメージセンサの発光体を発光させて、その光を所定の表示に利用したスキャナ装置を提供することである。
【課題を解決するための手段】
【０００５】
本発明に係るスキャナ装置は、スキャナ本体とガラス板とコンタクトイメージセンサと導光部材と表示部とを有している。ガラス板は、原稿を載置するためにスキャナ本体の上部に配設されている。コンタクトイメージセンサは、ガラス板の下方に原稿が載置された領域を走査可能に配置され、原稿に対して所定の光を発する発光素子および原稿にて反射した光を受光する受光素子を含んでいる。
【０００６】
導光部材は、コンタクトイメージセンサの発光素子から発光する光を集光して導く。表示部は、導光部材に設けられ、導光部材によって導かれた光によって原稿のサイズと載置位置を表示する。そして、スキャナ装置は、コンタクトイメージセンサが待機状態において、発光素子を発光させ、発せられた光を導光部材によって導くことにより表示部を表示させる機能を備えている。
【０００７】
この構成によれば、コンタクトイメージセンサが待機している状態において、発光素子を発光させて、その発せられた光を利用して表示部を発光させることにより、付加的な発光素子を設けることなく原稿のサイズと載置位置を表示することができる。
【０００８】
本発明に係る他のスキャナ装置は原稿のイメージを読み取るためのスキャナ装置であって、イメージセンサと導光部材と表示部とを有している。イメージセンサは原稿に向けて所定の光を発するとともに、原稿にて反射した光を受光する。導光部材はイメージセンサから発光する光を集光して導く。表示部は導光部材に設けられ、導光部材によって導かれた光によって所定の表示を行なう。スキャナ装置は、そのイメージセンサが待機状態において、イメージセンサから発せられる光を導光部材によって導くことにより表示部を表示させる機能を備えている。
【０００９】
この構成によれば、コンタクトイメージセンサが待機している状態において、発光素子を発光させて、その発せられた光を利用して表示部を発光させることにより、付加的な発光素子を設けることなく文字や図形等の情報を表示することができる。
【００１０】
そのイメージセンサは、所定の光として三原色の光をそれぞれ発光するための発光素子を含むことが好ましい。この三原色の発光素子を使い分けることで、表示部における発光色の色のバリエーションを増やすことができる。
【００１１】
表示部としては、具体的に、原稿のサイズ、原稿の載置位置、あるいは、スキャナ装置の操作パネル部分を表示させることが好ましい。
【発明を実施するための最良の形態】
【００１２】
本発明の実施の形態に係るスキャナ装置について説明する。図１に示すように、スキャナ装置１の上部には、原稿を載置するためのガラス板５が配設されている。そのガラス板５の下方には、載置された原稿のイメージを読み取るためのコンタクトイメージセンサ７が配設されている。コンタクトイメージセンサ７は、原稿が載置された領域を矢印３１に示す方向に往復動可能に設けられている。また、スキャナ装置１にはスキャナ装置１を操作するための操作パネル９が設けられている。
【００１３】
図２に示すように、コンタクトイメージセンサ７には、ガラス板５に載置された原稿１３に向けて三原色の光をそれぞれ発する発光素子７ａ〜７ｃと、その発光体７ａ〜７ｃから発せられる光を一方向に導きながら原稿１３に向けて出射（光１５ａ〜１５ｃ）させるための導光部材７ｄと、導光部材７ｄから発せられて原稿１３によって反射された反射光１６ａ〜１６ｃを受光する受光素子７ｅが配設されている。
【００１４】
図３に示すように、そのコンタクトイメージセンサ７は、待機状態では原稿が載置される原稿載置領域３０の外側の所定の待機位置に位置することになる。ガラス板５近傍の本体カバー３の下方には、コンタクトイメージセンサ７の発光素子から発せられる光を集光して所定の表示部１２へ導くための導光部材１１が配設されている。その表示部１２は、容易に視認されるように、本体カバー３に設けられた開口部３ａに嵌め込まれて本体カバー３の表面に露出している。
【００１５】
次に、上述したスキャナ装置の動作について説明する。まず、図２に示すように、ガラス板５に載置された原稿１３の画像を読み取る際には、発光素子７ａ〜７ｃから発せられた光１５ａ〜１５ｃを原稿に向けて照射するとともに、原稿１３によって反射した光を受光素子７ａ〜７ｃによって受光しながら矢印３１に示すようにコンタクトイメージセンサ７をスキャンさせる。読み取りが終了すると、図３に示すように、コンタクトイメージセンサ７を所定の待機位置に待機させる。
【００１６】
そして、コンタクトイメージセンサ７が待機位置に待機している状態において、発光素子７ａ〜７ｃを発光させる。発光素子７ａ〜７ｃから発せられた光は、導光部材１によって集光されて表示部１２にまで導かれることになる。このようにして、本スキャナ装置１では、コンタクトイメージセンサ７が待機している状態において発光素子７ａ〜７ｃを発光させ、その発せられた光を利用して表示部１２を発光（表示）させることができる。
【００１７】
表示部１２により表示させる情報の一例として、図４におけるたとえば点線枠３２内に示される用紙のサイズが挙げられる。この場合には、図５に示すように、導光部材１１に、「Ａ」の文字と「４」の文字にそれぞれ対応する表示部１２ａ，１２ｂが形成されている。一方、本体カバー３には、表示部１２ａ，１２ｂの形状に対応した開口部３ａ，３ｂがそれぞれ設けられている。その本体カバー３の開口部３ａ，３ｂに表示部１２ａ，１２ｂを嵌め込むことによって、図６に示すように、表示部１２ａ，１２ｂの部分だけが本体カバー３の表面に露出する。このようにして、導光部材１１によって導かれた光によって表示部１２ａ，１２ｂが発光して、「Ａ４」の文字が表示されることになる。
【００１８】
また、表示部１２としては、原稿の大きさの表示に限られず、図４におけるたとえば点線枠３３内に示される用紙の載置位置を表示させるようにしてもよい。この場合には、導光部材１１に用紙の載置位置に関する図形と文字に対応する表示部が形成される一方、本体カバー３にはその図形と文字とに対応した開口部が形成され、その開口部に表示部を嵌め込むことによって、図７に示すように、表示部１２として用紙の載置位置が表示されることになる。
【００１９】
さらに、表示部としては、操作パネル９における所定の文字、図形、あるいはスイッチのオンオフの状態等を表示させるようにしてもよい。また、たとえばロゴ（図示せず）を表示するなど装飾的な用途として表示部を設けてもよい。
【００２０】
上述した本スキャナ装置１では、コンタクトイメージセンサ７が待機している状態において、発光素子７ａ〜７ｃを発光させて、その発せられた光を利用して表示部１２を発光させることにより、付加的な発光素子を設けることなく文字や図形等を表示することができる。なお、上述したスキャナ装置では、センサとしてコンタクトイメージセンサ７を例に挙げて説明したが、所定の光を原稿に照射し、原稿にて反射した光を受光する態様のセンサであれば、コンタクトイメージセンサに限られない。
【００２１】
今回開示された実施の形態はすべての点で例示にすぎず制限的なものではない。本発明は上記で説明した範囲ではなく、特許請求の範囲によって示され、特許請求の範囲と均等の意味および範囲でのすべての変更が含まれることが意図される。
【図面の簡単な説明】
【００２２】
【図１】本発明の実施の形態に係るスキャナ装置の斜視図である。
【図２】同実施の形態において、コンタクトイメージセンサとガラス板に載置された原稿との位置関係を示す部分斜視図である。
【図３】同実施の形態において、待機状態におけるコンタクトイメージセンサの位置を示す部分断面図である。
【図４】同実施の形態において、表示部の例を示す部分平面図である。
【図５】同実施の形態において、本体カバーと表示部との関係を示す部分分解斜視図である。
【図６】同実施の形態において、本体カバーに表示部が嵌め込まれた状態を示す部分斜視図である。
【図７】同実施の形態において、本体カバーに表示部が嵌め込まれた他の例を示す部分平面図である。
【図８】従来のスキャナ装置の斜視図である。
【図９】従来のスキャナ装置において、待機状態におけるコンタクトイメージセンサの位置を示す部分断面図である。
【符号の説明】
【００２３】
１  スキャナ装置、３  本体カバー、３ａ，３ｂ  開口部、５  ガラス板、７  コンタクトイメージセンサ、７ａ，７ｂ，７ｃ  発光素子、７ｄ  導光部、７ｅ  受光素子、９  操作パネル、１１  導光部材、１２，１２ａ，１２ｂ  表示部、１３  原稿、１５ａ〜１５ｃ  光、１６ａ〜１６ｃ  反射光、３０  原稿載置領域。
【図１】
2006074465.tif 000003
【図２】
2006074465.tif 000004
【図３】
2006074465.tif 000005
【図４】
2006074465.tif 000006
【図５】
2006074465.tif 000007
【図６】
2006074465.tif 000008
【図７】
2006074465.tif 000009
【図８】
2006074465.tif 000010
【図９】
2006074465.tif 000011